(57)【特許請求の範囲】
【請求項１】
複数種の液体が各別に入れられた積み降ろし元の第１タンク群のそれぞれに連通管の基端を接続し、各連通管の先端を積み降ろし先の第２タンク群のそれぞれに着脱可能に接続するようにしたタンク間の連通管において；第２タンク群の各タンクにバーコードその他のコードの表示器を備えること；表示器は第１タンク群のタンク数（ｎ個）と同数のバーコードその他のコードの表示部を有すると共に、単一の鍵孔を備えていること；表示器には外側の隠し板及びその隠し板から内方に向けて延びる作用腕から成るシャッターをｎ個備えていること；各シャッターは表示器に対し摺動可能に設けられ、戻しばねで付勢されて平常時その隠し板が対応する表示部を覆う位置を占めるようにしてあること；ｎ個のシャッターの作用腕は同一の鍵孔に差し込まれる互に異なる鍵で各別に作動され、各作用腕の作動時、隠し板の開放変位に伴って対応する表示部に施されたバーコードその他のコードを外部へ露出させること；ｎ個の鍵は第１タンク群のｎ個のタンクにおける各連通管に各別に対応させて保管してあること；及び、前記コードは液体の種別及び第２タンク群におけるタンクの別を指定するものであって、接続させようとする連通管の正誤を確認するために、別に準備された電気的判別確認装置によって読み取り処理されるものであることを構成条件とするタンク間の連通管における接続確認装置。
【発明の詳細な説明】
【０００１】
【発明の属する技術分野】
この発明は、タンクローリー車等の積み降ろしにおけるタンク間連通管の接続確認装置に関する。
【０００２】
【従来の技術】
従来のこの種のタンク間の連通管における接続確認装置としては、製油所や化学工場等における積み降ろしステーションの一部に設置された大型で高価な流通制御システムを挙げることができるが、設備費が安く操作も簡単なものは現在のところ利用されるには至っていない。
【０００３】
一方で、積み降ろし作業において、ホース等の連通管の連結ミスにより発生する異種液体の混入事故は危険であることは言うまでもなく、そのような事故の発生は確実に防止されることが望まれている。
【０００４】
【発明が解決しようとする課題】
この発明は、設備費用が安く操作も簡単なタンク間の連通管における接続確認装置を提供することを目的とする。この発明の装置は、タンクローリー車の積み降ろしにおいて採用するに好適である。
【０００５】
【課題を解決するための手段】
上記の目的を達成するため、この発明のタンク間の連通管における接続確認装置は、複数種の液体が各別に入れられた積み降ろし元の第１タンク群のそれぞれに連通管の基端を接続し、各連通管の先端を積み降ろし先の第２タンク群のそれぞれに着脱可能に接続するようにしたタンク間の連通管において；第２タンク群の各タンクにバーコードその他のコードの表示器を備えること；表示器は第１タンク群のタンク数（ｎ個）と同数のバーコードその他のコードの表示部を有すると共に、単一の鍵孔を備えていること；表示器には外側の隠し板及びその隠し板から内方に向けて延びる作用腕から成るシャッターをｎ個備えていること；各シャッターは表示器に対し摺動可能に設けられ、戻しばねで付勢されて平常時その隠し板が対応する表示部を覆う位置を占めるようにしてあること；ｎ個のシャッターの作用腕は同一の鍵孔に差し込まれる互に異なる鍵で各別に作動され、各作用腕の作動時、隠し板の開放変位に伴って対応する表示部に施されたバーコードその他のコードを外部へ露出させること；ｎ個の鍵は第１タンク群のｎ個のタンクにおける各連通管に各別に対応させて保管してあること；及び、前記コードは液体の種別及び第２タンク群におけるタンクの別を指定するものであって、接続させようとする連通管の正誤を確認するために、別に準備された電気的判別確認装置によって読み取り処理されるものであることを構成条件とする。
【０００６】
【発明の実施の形態】
以下、図面に示す実施例に基いて、この発明について説明する。
図１はこの発明が実施され得る第１タンク群１とタンクローリー車２０の第２タンク群２との間の石油製品、化学製品その他の液体の積み降ろし作業の態様を示している。同図では荷積みの状態を示しているが、この発明は荷降ろしにおいても実施できる。
【０００７】
符号１１〜１４は、異種の石油製品（ハイオクタンガソリン、レギュラーガソリン、軽油、灯油）その他の液体がそれぞれ各別に貯蔵されたタンクで、これらは積み降ろし元の第１タンク群１を構成している。
【０００８】
積み降ろし元の各タンク１１、１２、１３又は１４にはそれぞれホース等の連通管３１、３２、３３又は３４の基端が接続してあり、各連通管３１、３２、３３又は３４の先端は積み降ろし先の第２タンク群２を構成するタンク２１、２２、２３、２４、２５又は２６に着脱自在に接続することができるようにしてある。
【０００９】
図示例（図１）においては第２タンク群２のタンク２１〜２６はタンクローリー車２０上に設けてあるが、それらタンクは鉄道の貨車上に設けたものであってもよい。
【００１０】
要するに、第１タンク群１の各タンク１１、１２、１３又は１４と第２タンク群２の各タンク２１、２２、２３、２４、２５又は２６とはその連通管３１、３２、３３又は３４により図１で鎖線で示すように、選択的に接続できるようにしてある。
【００１１】
勿論、第２タンク群２の各タンクは所望の期間について常時同種の液体が積み込まれるものであって、他種の液体が混入することは極めて危険であり、常に避けねばならないことである。
【００１２】
この発明に係る装置を用いることにより、タンクローリー車等の運転者を含む操作者は、第１タンク群１と第２タンク群２との間の連通管の接続において誤操作を防止することができる。
【００１３】
図１において、符号４は第２タンク群２の各タンク２１、２２、・・・に設けられた後に詳述するバーコードその他のコードの表示器、７１〜７４は第１タンク群１の各タンクにおける連通管３１、３２、３３又は３４に対応させて保管してある後記の鍵を示す。
【００１４】
次に、図１〜図６において、表示器４について詳述する。
第２タンク群２のそれぞれに取り付けられる表示器４は全体として箱形をなし、背面側は開放されている。
【００１５】
そして、表示器４の外側には、第１タンク群１のタンク数（ｎ個）と同数のバーコードその他のコード４１ａ、４２ａ、４３ａ、４４ａを施すことができる表示部４１〜４４が列設してある。
【００１６】
図示例の表示部４１〜４４は、表示器本体４０の窓４５〜４８と本体４０の正面の裏側に固定した枠板５の凹陥部５５〜５８とで形成されており、凹陥部５５〜５８の底部には前記のコード（コード票）４１ａ〜４４ａがそれぞれ施されている。
【００１７】
表示器４には、更にｎ個の表示部４１〜４４と同数のシャッター６を備えている。各シャッター６は外側に位置する隠し板６ａ及びその隠し板６ａから内方に向けて固定的に延出させた作用腕６ｂから成り、表示器本体４０に対し例えば垂直方向に摺動可能に設けられる。
【００１８】
各シャッター６の作用腕６ｂの内端には枢軸を有する取付体６ｃを介して爪片６ｄが枢着してある。この爪片６ｄは必要に応じて設けられるものである。
【００１９】
そして、前記の取付体６ｃは表示器４内において上下方向（垂直方向）に向けて固定した案内棒６１に摺動可能に貫通させてあり、各作用腕６ｂは案内棒６１の回りに嵌め込んだ圧縮ばね等の戻しばね６２で常態位置に向け付勢させてある。
【００２０】
符号６３は案内棒６１に可動に嵌め込まれた受け片で、作用腕６ｂの下部と戻しばね６２の上端との間に介在させてある。
【００２１】
表示器４は例えばその上面部に単一にして共通な鍵孔４９を備えており、表示器４内にはその鍵孔４９に連なる鍵の誘導枠５２が垂直方向（図４又は図６で上下方向）に固設してある。
【００２２】
上述の各シャッター６は、シャッター６上の取付体６ｃ案内棒６１とから成る案内手段、及び、表示器本体４０と枠板５との間の間隙５１とその間隙５１に嵌め込まれた隠し板６ａとから成る案内手段により、上下に摺動案内されるようにしてある。但し、シャッター６の案内手段は図示のものに限らず、任意に設計し得る。
【００２３】
なお、各シャッター６及び爪片６ｄの上下動の際、それらは枠板５及び鍵の誘導枠５２の部分においてはスリット５ａ、５２ａで逃がすようにする。
【００２４】
表示器４の各表示部４１、４２、・・・に施されたバーコードその他のコード４１ａ，４２ａ、・・・の表示は、対応するシャッター６の後述の開放によって外部へ露出するもので、少くとも液体の種別及び第２タンク群２におけるタンク２１〜２６の別（仕向けられるタンクの別）を指定するものであり、操作者が接続させようとする連通管３１、３２、３３又は３４の正誤の別を連結前に確認するためのものである。
【００２５】
操作者が第１タンク群１の一つのタンク（１２）から第２タンク群２の一つのタンク（２２）に液体を入れようとするとき、予めタンク（１２）の連通管（３２）に対応する鍵（７２）をタンク（２２）の表示器４の鍵孔４９に差し込む。その時、あるシャッター６の隠し板６ａが矢印Ｑ方向に移動して開放し、コード（４２ａ）が外部へ露出する。
【００２６】
ここで、別に準備された周知の電気的判別確認装置（図示しない）によって、外部へ露出したコード（４２ａ）を読み取り、引き続き行おうとしている連通管の連結操作の正誤を確認する。
【００２７】
コード（４２ａ）には正しい液体の種別及び第２タンク群２の内の正しいタンクの別が指示されており、操作者は電気的判別確認装置のディスプレー又はスピーカーを通じて視覚又は聴覚をもって次に続く操作の正誤を認識する。
【００２８】
前記の電気的判別確認装置は、読み取り手段（バーコードリーダ等）、登録手段、記憶手段、比較手段及び表示手段等からなる公知のものである。
【００２９】
図７及び図８に示す平板状の鍵７１〜７４は、第１タンク群１のタンク数（ｎ個）と同数の互に異なるものである。
【００３０】
それら鍵７１〜７４は、それぞれ先端の幅方向について異なる位置に設けられた作用突部７５、それと平行に設けられた任意数の逃げ溝７６及び作用突部７５の先端部に必要に応じて設けられた係合孔７７を有する。
【００３１】
前記の鍵７１〜７４は、図１に示すように、異種の液体を貯蔵させた第１タンク群１のｎ個のタンク１１〜１４における連通管３１〜３４に各別に対応させて保管してある。各鍵は対応する連通管の近傍に保管しておくか、対応する連通管に取り外し可能に直接取り付けて保管するとよい。
【００３２】
図２、図３及び図７に示すように、表示器４の鍵孔４９に矢印Ｐのように例えば第２の鍵孔７２を差し込めば、一つのシャッター６の作用腕６ｂが鍵７２の作用突部７５によって戻しばね６２に抗して図２で下方に押され、そのシャッター６の隠し板６ａが窓４を外部へ露出させる。
【００３３】
前記の第２の鍵７２の操作において、その鍵７２の逃げ溝７６は他のシャッター６の作用腕６ｂを鍵７２の下動に対し逃がす役割を果たす。
【００３４】
上記のように一つの隠し板６ａが矢印Ｑ方向に移動して、例えば第２のコード４２ａ（コード表示）が露出したら、そのコード４２ａを図示しない電気的判別確認装置で読み取って処理し、接続を意図している連通管３２と第２タンク群２のタンク２２との連結の正誤を事前に知る。
【００３５】
意図した操作が正しければ、そのまま連通管３２はタンク２２に接続し、意図した操作が誤っていれば、勿論その操作は中止する。
【００３６】
図示例の各シャッター６の作用腕６ｂには、揺動可能な爪片６ｄが枢着してあり、図６に明示するように、鍵孔４９から差し込まれた第２の鍵７２で対応する作用腕６ｂが下方へ押し込まれた際、その爪片６ｄの先端部に設けられた突片６ｅが固定の誘導枠５２におけるスリット５２ａの傾斜させた縁部で案内され、鍵７２の差し込みの前段階で爪片６ｄが図６で右回りに揺動される。
【００３７】
その結果、爪片６ｄの先端が第２の鍵７２の係合孔７７に嵌まり込み、該爪片６ｄはそのシャッター６の下動の終端まで同図の鎖線で示すようにその係合状態を保持する。
【００３８】
爪片６ｄの原位置への復帰は、爪片６ｄの下辺部６ｆが案内棒６１に挿通された受け片６ｆを介して戻りばね６２で押圧されることにより行われる。
【００３９】
通常は鍵で押し込まれたシャッター６は、手を鍵から離せば、戻しばね６２の付勢力によって原位置に復帰する。
【００４０】
シャッター６がゴミ詰まりや案内手段の変形等により押し込まれたままで戻らない時は、爪片６ｄに対し係合孔７７を介して係合状態にある鍵をもって引き上げれば、シャッター６並びに爪片６ｄは共に原位置に復帰するので、上位位置において鍵を抜き取ることができる。
【００４１】
上述の作用例では、第１タンク群１における一例としてのタンク１２の連通管３２と第２タンク群２の一例としてのタンク２２とを接続させようと意図した場合の作用について説明したが、他の例でもそれに準ずるので、それらの説明については省略する。
【００４２】
以上に説明した表示器４は横向きにしてタンク２１、２２、・・・に固定することもできる。その場合、鍵７１、７２・・・は水平方向に差し込まれることになる。
【００４３】
なお、爪片６ｄを有していないシャッター６及び係合孔７７を有していない鍵７１〜７４の作動については、鍵孔４９に鍵を差し込めば戻しばね６２に抗してシャッター６が下方に押し込まれ、鍵を引き抜けば戻しばね６２の復元力によりシャッター６は原位置に復帰する。
【００４４】
【発明の効果】
以上に説明したこの発明のタンク間の連通管における接続確認装置によれば、設備費用が安く操作も簡単であるにかかわらず、タンクローリー車等に複数種の液体を各別に混載する際に、別種液体の混入ミスを確実に防止できる効果を奏する。
【図面の簡単な説明】
【図１】この発明に係るタンク間の連通管における接続確認装置の実施例を示す全体の概要図。
【図２】その要部であるコード指示器の正面図。
【図３】その平面図。
【図４】コード指示器の拡大部分背面図。
【図５】その拡大部分横断平面図。
【図６】図４のＶＩ−ＶＩ線による拡大断面図。
【図７】コード指示器の鍵孔に差し込まれて用いられる鍵の平面図で、（Ａ）〜（Ｄ）は４つの互に異なる鍵を示している。
【図８】図７に示す鍵の共通な側面図。
【符号の説明】
１  第１タンク群
１１〜１４  タンク
２  第２タンク群
２１〜２６  タンク
３１〜３４  連通管
４  表示器
４１〜４４  表示部
４８  鍵孔
６  シャッター
６ａ  隠し板
６ｂ  作用腕
７１〜７４  鍵
【図１】
0003737214.tif 000002
【図２】
0003737214.tif 000003
【図３】
0003737214.tif 000004
【図４】
0003737214.tif 000005
【図５】
0003737214.tif 000006
【図６】
0003737214.tif 000007
【図７】
0003737214.tif 000008
【図８】
0003737214.tif 000009